(57)【要約】【課題】本発明は湿度を検知できる乾燥システムを開示した。【解決手段】箱体を含み、前記箱体の中には回転チャンバが設けられ、前記回転チャンバの中にはスライドロッドが左右に対称的に、且つスライドできるように設けられ、前記スライドロッドのうち対称中心に近接した一端には傘収納筒が当接しており、前記傘収納筒の中には感知装置が設けられ、前記感知装置は水の重量を検知でき、前記傘収納筒の下側には乾燥装置が設けられ、前記感知装置と前記乾燥装置とが回転できるように連結され、前記乾燥装置は傘を乾かすことができ、前記スライドロッドのうち対称中心から離れた一端には固定連結ロッドが固定的に設けられ、前記固定連結ロッドのうち対称中心から離れた一端には伝動装置が噛合するように連結され、前記伝動装置は前記固定連結ロッドを駆動することができる。【選択図】図１
2020197365.tif 000002
【特許請求の範囲】
【請求項１】
正面視で、箱体を含み、
前記箱体の中には回転チャンバが設けられ、前記回転チャンバの中にはスライドロッドが左右に対称的に、且つスライドできるように設けられ、前記スライドロッドのうち対称中心に近接した一端には傘収納筒が当接しており、前記傘収納筒の中には感知装置が設けられ、前記感知装置は水の重量を検知でき、
前記傘収納筒の下側には乾燥装置が設けられ、前記感知装置と前記乾燥装置とが回転できるように連結され、前記乾燥装置は傘を乾かすことができ、
前記スライドロッドのうち対称中心から離れた一端には固定連結ロッドが固定的に設けられ、前記固定連結ロッドのうち対称中心から離れた一端には伝動装置が噛合するように連結され、前記伝動装置は前記固定連結ロッドを駆動して回転またはスライドさせることができることを特徴とする湿度を検知できる乾燥システム。
【請求項２】
前記感知装置は前記回転チャンバの上側内壁の中に連通するように設けられた回りチャンバを含み、前記回りチャンバの中には旋転盤が回転できるように設けられ、前記旋転盤の中には筒蓋が回転できるように設けられ、前記旋転盤の中には第一電磁石が左右に対称的に、且つ固定的に設けられ、前記第一電磁石のうち対称中心に近接した側には第二電磁石がスライドできるように設けられ、前記第二電磁石と前記第一電磁石との間には第一バネが固定的に連結され、前記第二電磁石の下端は前記筒蓋と当接することができ、これによって前記筒蓋が滑り出すことを防ぎ、前記筒蓋の中には筒蓋チャンバが設けられ、前記筒蓋チャンバの中にはスライド可能な下押しブロックが設けられ、前記下押しブロックの上側には上押しブロックがスライドできるように設けられ、前記下押しブロックと前記上押しブロックとの間には押しバネが固定的に連結され、前記上押しブロックの上端には上十字ブロックが固定的に連結され、前記筒蓋チャンバの中には第一水通しブロックが固定的に設けられ、前記第一水通しブロックが前記下押しブロックの下側に位置することを特徴とする請求項１に記載の湿度を検知できる乾燥システム。
【請求項３】
前記筒蓋の下端と前記傘収納筒とがねじ山によって連結され、前記傘収納筒の中には前記筒蓋チャンバと連通した傘収納チャンバが設けられ、前記傘収納チャンバの中には第二水通しブロックが固定的に設けられ、傘を前記第一水通しブロックと前記第二水通しブロックとの間に入れることができ、前記第二水通しブロックの下側には前記傘収納チャンバと連通した貯水チャンバが設けられ、前記貯水チャンバの内壁にはスライド溝は左右に対称的に、且つ連通するように設けられ、前記スライド溝の中にはスライドブロックがスライドできるように設けられ、前記貯水チャンバの中にはスライド板がスライドできるように設けられ、前記スライド板と前記スライドブロックのうち対称中心に近接した一端とが固定的に連結され、前記スライド板が前記第二水通しブロックの下側に位置し、前記スライド板の下端には下十字ブロックが固定的に連結され、前記下十字ブロックの下端は前記乾燥装置と回転できるように連結されることができることを特徴とする請求項１に記載の湿度を検知できる乾燥システム。
【請求項４】
前記傘収納筒の中には固定連結板が固定的に設けられ、前記固定連結板の中には水通しチャンバが上下に貫通するように設けられ、前記固定連結板の中には歯車チャンバが左右且つ前後に対称的に設けられ、前記水通しチャンバと前記歯車チャンバとが連通しており、前後二つの前記歯車チャンバの間には回転ロッドが回転できるように設けられ、前記回転ロッドの前後両端と前記歯車チャンバの前後両側内壁との間には復帰トーションバネが固定的に連結され、前記復帰トーションバネの弾力は前記回転ロッドを回転連動させることができ、前記回転ロッドの円周面には二つの伝動歯車がそれぞれ固定的に連結され、前記伝動歯車の下端にはラックが噛み合っており、前記ラックがスライドすることで前記伝動歯車を回転連動させることができ、前記回転ロッドの円周面には回転板が固定的に連結され、前記回転板が二つの前記伝動歯車の間に位置し、前記回転ロッドの回転は前記回転板を回転連動させることができることを特徴とする請求項３に記載の湿度を検知できる乾燥システム。
【請求項５】
前記乾燥装置は前記回転チャンバの下側内壁の中に連通するように設けられたベルトチャンバを含み、前記ベルトチャンバの中には大プーリーが回転できるように設けられ、前記大プーリーの左右両側には小プーリーが対称的に、且つ回転できるように設けられ、前記大プーリーと二つの前記小プーリーとが下側ベルトによって連結され、前記ベルトチャンバの中にはファン軸が左右に対称的に、且つ回転できるように設けられ、二本の前記ファン軸の下端がそれぞれ両側の前記小プーリーと固定的に連結され、前記ファン軸の上端が前記回転チャンバの中に伸びており、且つ前記ファン軸の上端にはファンが固定的に連結され、前記大プーリーが下モーター軸の円周面に固定的に連結され、前記大プーリーの中には下モーター軸が固定的に連結され、前記ベルトチャンバの下側内壁の中には下側モーターが固定的に設けられ、前記下モーター軸の下端が前記下側モーターに伝動できるように連結され、前記ベルトチャンバの上側内壁の中には旋転チャンバが連通するように設けられ、前記旋転チャンバの中には旋転ブロックが回転できるように設けられ、前記下モーター軸の上端が前記旋転ブロックと固定的に連結され、前記旋転ブロックの中には上方に開口した空きチャンバが設けられ、前記空きチャンバの下側内壁には感知スイッチが固定的に連結され、前記感知スイッチの上側には滑りブロックがスライドできるように設けられ、前記滑りブロックと前記感知スイッチとの間には圧縮バネが固定的に連結され、前記滑りブロックの上端が前記下十字ブロックと当接しており、前記感知スイッチと前記下側モーターとが通電できるように連結されていることを特徴とする請求項１に記載の湿度を検知できる乾燥システム。
【請求項６】
記傘収納筒の中には左右に貫通した排水穴が設けられ、前記スライドロッドの中には固定ロッドが固定的に設けられ、前記固定ロッドの円周面には吸水棉が固定的に設けられていることを特徴とする請求項５に記載の湿度を検知できる乾燥システム。
【請求項７】
前記伝動装置は前記回転チャンバの左右両側内壁の中に連通するように設けられた伝動チャンバを含み、前記固定連結ロッドの左端が前記伝動チャンバの中に伸びており、前記固定連結ロッドの円周面には左位置制限ブロックと右位置制限ブロックとが固定的に連結され、前記左位置制限ブロックが前記右位置制限ブロックの左側に位置し、前記左位置制限ブロックと前記右位置制限ブロックとの間にはスリーブがスライドできるように設けられ、前記スリーブが前記固定連結ロッドの円周面にスライドできるように設けられ、前記伝動チャンバのうち対称中心から離れた側の内壁の中には噛合チャンバが連通するように設けられ、前記噛合チャンバの左右両側内壁の間にはネジロッド軸が回転できるように設けられ、前記ネジロッド軸の円周面には下噛合歯車が固定的に連結され、前記ネジロッド軸のうち対称中心から離れた一端が前記伝動チャンバの中に伸びており、且つ前記ネジロッド軸のうち対称中心から離れた一端にはネジ山ブロックがねじ山によって連結され、前記ネジ山ブロックの上端と前記スリーブとが固定的に連結され、前記固定連結ロッドの円周面には下歯車が固定的に連結され、前記下歯車が前記右位置制限ブロックのうち対称中心に近接した側に位置し、前記下歯車の上端には上歯車が噛合できるように設けられ、前記上歯車のうち対称中心から離れた一端にはスライドスリーブが固定的に連結され、前記噛合チャンバの上側内壁の中にはスリーブチャンバが連通するように設けられ、前記スライドスリーブのうち対称中心から離れた一端が前記スリーブチャンバの中に伸びており、且つ前記スライドスリーブのうち対称中心から離れた一端には上噛合歯車が固定的に連結され、前記上噛合歯車は前記噛合チャンバと噛合することができ、前記上モーター軸の円周面には前記スライドスリーブが回転且つスライドできるように設けられ、前記箱体の右側内壁の中には上側モーターが固定的に設けられ、前記上噛合歯車のうち対称中心から離れた一端が前記上側モーターに伝動できるように連結され、前記スリーブチャンバのうち対称中心から離れた側の内壁の中にはベルトチャンバが連通するように設けられ、前記ベルトチャンバの中には上同期歯車がスライドできるように設けられ、前記上同期歯車が前記上モーター軸に固定的に連結され、前記上同期歯車の下側には下同期歯車が回転できるように設けられ、前記下同期歯車と前記上同期歯車とが同期ベルトによって連結され、二つの前記ベルトチャンバの間には回転軸チャンバが連通するように設けられ、前記回転軸チャンバの中には回転軸が回転できるように設けられ、前記回転軸の左右両端が前記ベルトチャンバの中に伸びており、且つ前記下同期歯車と固定的に連結されていることを特徴とする請求項１に記載の湿度を検知できる乾燥システム。
【請求項８】
前記伝動チャンバの上側内壁には左側電磁石が固定的に連結され、前記左側電磁石のうち対称中心に近接した側には右側電磁石がスライドできるように設けられ、前記右側電磁石と前記左側電磁石との間には復帰バネが固定的に設けられ、前記右側電磁石のうち対称中心に近接した一端には伝動板が固定的に設けられ、前記伝動板の下端には左押板と右押板とが固定的に設けられ、前記左押板が前記右押板のうち対称中心から離れた側に位置し、前記上歯車が前記左押板と前記右押板との間に位置することを特徴とする請求項７に記載の湿度を検知できる乾燥システム。
【発明の詳細な説明】
【技術分野】
【０００１】
本発明は乾燥分野を取り上げて、具体的には湿度を検知できる乾燥システムである。
【背景技術】
【０００２】
雨の日に濡れた傘を室内に置くと、地面を濡らし、室内での歩きに不便をもたらし、また、濡れた傘についた水は傘の内部構造にダメージを与え、普通人々はただ簡単に傘を置いて干しあるいは傘に付いた水を落とし、有効に傘を乾かすことができなく、時間が無駄に使われるだけでなく、生活に不便を招き、従って、湿度を検知できる乾燥システムを設計する必要があり、本発明は傘収納筒に収納された傘についた水の重量を検知し、水が一定の重量に達した時、自動的に乾燥装置を始動し、傘を乾かすことができ、また、伝動装置により、傘収納筒を百八十度に回転させ、傘の上下両端とも乾かすことができ、乾燥効果を向上させた。
【先行技術文献】
【特許文献】
【０００３】
【特許文献１】中国特許出願公開第１０３４３９３７０号明細書
【発明の概要】
【発明が解決しようとする課題】
【０００４】
本発明の目的は湿度を検知できる乾燥システムを提供し、それは上記の現在の技術中の問題を解決できる。
【課題を解決するための手段】
【０００５】
本発明の湿度を検知できる乾燥システムは、箱体を含み、前記箱体の中には回転チャンバが設けられ、前記回転チャンバの中にはスライドロッドが左右に対称的に、且つスライドできるように設けられ、前記スライドロッドのうち対称中心に近接した一端には傘収納筒が当接しており、前記傘収納筒の中には感知装置が設けられ、前記感知装置は水の重量を検知でき、前記傘収納筒の下側には乾燥装置が設けられ、前記感知装置と前記乾燥装置とが回転できるように連結され、前記乾燥装置は傘を乾かすことができ、前記スライドロッドのうち対称中心から離れた一端には固定連結ロッドが固定的に設けられ、前記固定連結ロッドのうち対称中心から離れた一端には伝動装置が噛合するように連結され、前記伝動装置は前記固定連結ロッドを駆動して回転またはスライドさせることができる。
【０００６】
優選の技術プランとして、前記感知装置は前記回転チャンバの上側内壁の中に連通するように設けられた回りチャンバを含み、前記回りチャンバの中には旋転盤が回転できるように設けられ、前記旋転盤の中には筒蓋が回転できるように設けられ、前記旋転盤の中には第一電磁石が左右に対称的に、且つ固定的に設けられ、前記第一電磁石のうち対称中心に近接した側には第二電磁石がスライドできるように設けられ、前記第二電磁石と前記第一電磁石との間には第一バネが固定的に連結され、前記第二電磁石の下端は前記筒蓋と当接することができ、これによって前記筒蓋が滑り出すことを防ぎ、前記筒蓋の中には筒蓋チャンバが設けられ、前記筒蓋チャンバの中にはスライド可能な下押しブロックが設けられ、前記下押しブロックの上側には上押しブロックがスライドできるように設けられ、前記下押しブロックと前記上押しブロックとの間には押しバネが固定的に連結され、前記上押しブロックの上端には上十字ブロックが固定的に連結され、前記筒蓋チャンバの中には第一水通しブロックが固定的に設けられ、前記第一水通しブロックが前記下押しブロックの下側に位置する。
【０００７】
優選の技術プランとして、前記筒蓋の下端と前記傘収納筒とがねじ山によって連結され、前記傘収納筒の中には前記筒蓋チャンバと連通した傘収納チャンバが設けられ、前記傘収納チャンバの中には第二水通しブロックが固定的に設けられ、傘を前記第一水通しブロックと前記第二水通しブロックとの間に入れることができ、前記第二水通しブロックの下側には前記傘収納チャンバと連通した貯水チャンバが設けられ、前記貯水チャンバの内壁にはスライド溝は左右に対称的に、且つ連通するように設けられ、前記スライド溝の中にはスライドブロックがスライドできるように設けられ、前記貯水チャンバの中にはスライド板がスライドできるように設けられ、前記スライド板と前記スライドブロックのうち対称中心に近接した一端とが固定的に連結され、前記スライド板が前記第二水通しブロックの下側に位置し、前記スライド板の下端には下十字ブロックが固定的に連結され、前記下十字ブロックの下端は前記乾燥装置と回転できるように連結されることができる。
【０００８】
優選の技術プランとして、前記傘収納筒の中には固定連結板が固定的に設けられ、前記固定連結板の中には水通しチャンバが上下に貫通するように設けられ、前記固定連結板の中には歯車チャンバが左右且つ前後に対称的に設けられ、前記水通しチャンバと前記歯車チャンバとが連通しており、前後二つの前記歯車チャンバの間には回転ロッドが回転できるように設けられ、前記回転ロッドの前後両端と前記歯車チャンバの前後両側内壁との間には復帰トーションバネが固定的に連結され、前記復帰トーションバネの弾力は前記回転ロッドを回転連動させることができ、前記回転ロッドの円周面には二つの伝動歯車がそれぞれ固定的に連結され、前記伝動歯車の下端にはラックが噛み合っており、前記ラックがスライドすることで前記伝動歯車を回転連動させることができ、前記回転ロッドの円周面には回転板が固定的に連結され、前記回転板が二つの前記伝動歯車の間に位置し、前記回転ロッドの回転は前記回転板を回転連動させることができ、
前記スライドロッドが前記傘収納筒に向いてスライドし前記ラックを押し動かしてスライドさせる時、前記伝動歯車が駆動されて回転し、これによって前記回転板を回転連動させる。
【０００９】
優選の技術プランとして、前記乾燥装置は前記回転チャンバの下側内壁の中に連通するように設けられたベルトチャンバを含み、前記ベルトチャンバの中には大プーリーが回転できるように設けられ、前記大プーリーの左右両側には小プーリーが対称的に、且つ回転できるように設けられ、前記大プーリーと二つの前記小プーリーとが下側ベルトによって連結され、前記ベルトチャンバの中にはファン軸が左右に対称的に、且つ回転できるように設けられ、二本の前記ファン軸の下端がそれぞれ両側の前記小プーリーと固定的に連結され、前記ファン軸の上端が前記回転チャンバの中に伸びており、且つ前記ファン軸の上端にはファンが固定的に連結され、前記大プーリーが下モーター軸の円周面に固定的に連結され、前記大プーリーの中には下モーター軸が固定的に連結され、前記ベルトチャンバの下側内壁の中には下側モーターが固定的に設けられ、前記下モーター軸の下端が前記下側モーターに伝動できるように連結され、前記ベルトチャンバの上側内壁の中には旋転チャンバが連通するように設けられ、前記旋転チャンバの中には旋転ブロックが回転できるように設けられ、前記下モーター軸の上端が前記旋転ブロックと固定的に連結され、前記旋転ブロックの中には上方に開口した空きチャンバが設けられ、前記空きチャンバの下側内壁には感知スイッチが固定的に連結され、前記感知スイッチの上側には滑りブロックがスライドできるように設けられ、前記滑りブロックと前記感知スイッチとの間には圧縮バネが固定的に連結され、前記滑りブロックの上端が前記下十字ブロックと当接しており、前記感知スイッチと前記下側モーターとが通電できるように連結されている。
【００１０】
優選の技術プランとして、前記傘収納筒の中には左右に貫通した排水穴が設けられ、前記スライドロッドの中には固定ロッドが固定的に設けられ、前記固定ロッドの円周面には吸水棉が固定的に設けられ、前記圧縮バネの回転は前記旋転ブロックを回転連動させることができ、これによって前記スライド板で前記傘収納筒を回転連動させ、これによって前記傘収納筒の中の水は前記排水穴から飛び出し前記吸水棉に着くことができ、これによって水を吸収する。
【００１１】
優選の技術プランとして、前記伝動装置は前記回転チャンバの左右両側内壁の中に連通するように設けられた伝動チャンバを含み、前記固定連結ロッドの左端が前記伝動チャンバの中に伸びており、前記固定連結ロッドの円周面には左位置制限ブロックと右位置制限ブロックとが固定的に連結され、前記左位置制限ブロックが前記右位置制限ブロックの左側に位置し、前記左位置制限ブロックと前記右位置制限ブロックとの間にはスリーブがスライドできるように設けられ、前記スリーブが前記固定連結ロッドの円周面にスライドできるように設けられ、前記伝動チャンバのうち対称中心から離れた側の内壁の中には噛合チャンバが連通するように設けられ、前記噛合チャンバの左右両側内壁の間にはネジロッド軸が回転できるように設けられ、前記ネジロッド軸の円周面には下噛合歯車が固定的に連結され、前記ネジロッド軸のうち対称中心から離れた一端が前記伝動チャンバの中に伸びており、且つ前記ネジロッド軸のうち対称中心から離れた一端にはネジ山ブロックがねじ山によって連結され、前記ネジ山ブロックの上端と前記スリーブとが固定的に連結され、前記固定連結ロッドの円周面には下歯車が固定的に連結され、前記下歯車が前記右位置制限ブロックのうち対称中心に近接した側に位置し、前記下歯車の上端には上歯車が噛合できるように設けられ、前記上歯車のうち対称中心から離れた一端にはスライドスリーブが固定的に連結され、前記噛合チャンバの上側内壁の中にはスリーブチャンバが連通するように設けられ、前記スライドスリーブのうち対称中心から離れた一端が前記スリーブチャンバの中に伸びており、且つ前記スライドスリーブのうち対称中心から離れた一端には上噛合歯車が固定的に連結され、前記上噛合歯車は前記噛合チャンバと噛合することができ、前記上モーター軸の円周面には前記スライドスリーブが回転且つスライドできるように設けられ、前記箱体の右側内壁の中には上側モーターが固定的に設けられ、前記上噛合歯車のうち対称中心から離れた一端が前記上側モーターに伝動できるように連結され、前記スリーブチャンバのうち対称中心から離れた側の内壁の中にはベルトチャンバが連通するように設けられ、前記ベルトチャンバの中には上同期歯車がスライドできるように設けられ、前記上同期歯車が前記上モーター軸に固定的に連結され、前記上同期歯車の下側には下同期歯車が回転できるように設けられ、前記下同期歯車と前記上同期歯車とが同期ベルトによって連結され、二つの前記ベルトチャンバの間には回転軸チャンバが連通するように設けられ、前記回転軸チャンバの中には回転軸が回転できるように設けられ、前記回転軸の左右両端が前記ベルトチャンバの中に伸びており、且つ前記下同期歯車と固定的に連結されている。
【００１２】
優選の技術プランとして、前記伝動チャンバの上側内壁には左側電磁石が固定的に連結され、前記左側電磁石のうち対称中心に近接した側には右側電磁石がスライドできるように設けられ、前記右側電磁石と前記左側電磁石との間には復帰バネが固定的に設けられ、前記右側電磁石のうち対称中心に近接した一端には伝動板が固定的に設けられ、前記伝動板の下端には左押板と右押板とが固定的に設けられ、前記左押板が前記右押板のうち対称中心から離れた側に位置し、前記上歯車が前記左押板と前記右押板との間に位置し、前記左側電磁石が通電された後、前記右側電磁石が前記復帰バネを押し、これによって前記伝動板をスライド連動させ、これによって前記右押板が前記上歯車を押して前記上モーター軸と噛合させる。
【発明の効果】
【００１３】
本発明は傘収納筒に収納された傘についた水の重量を検知し、水が一定の重量に達した時、自動的に乾燥装置を始動し、傘を乾かすことができ、また、伝動装置により、傘収納筒を百八十度に回転させ、傘の上下両端とも乾かすことができ、乾燥効果を向上させた。
【図面の簡単な説明】
【００１４】
下記に図１〜９をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の湿度を検知できる乾燥システムの全体構成略図
【図２】図２は図１のＡ―Ａ方向の構成略図
【図３】図３は図１のＢの拡大略図
【図４】図４は図３のＣ―Ｃ方向の構成略図
【図５】図５は図１のＤの拡大略図
【図６】図６は図５のＥの拡大略図
【図７】図７は図６のＦ―Ｆ方向の構成略図
【図８】図８は図１のＧの拡大略図
【図９】図９は図５のＨ―Ｈ方向の構成略図
【発明を実施するための形態】
【００１６】
本発明の湿度を検知できる乾燥システムは、主に傘乾かしに適用され、以下に付図をあわせて本発明について説明する：
【００１７】
本発明の湿度を検知できる乾燥システムは、箱体１２を含み、前記箱体１２の中には回転チャンバ２１が設けられ、前記回転チャンバ２１の中にはスライドロッド２２が左右に対称的に、且つスライドできるように設けられ、前記スライドロッド２２のうち対称中心に近接した一端には傘収納筒２３が当接しており、前記傘収納筒２３の中には感知装置１００が設けられ、前記感知装置１００は水の重量を検知でき、前記傘収納筒２３の下側には乾燥装置１０１が設けられ、前記感知装置１００と前記乾燥装置１０１とが回転できるように連結され、前記乾燥装置１０１は傘を乾かすことができ、前記スライドロッド２２のうち対称中心から離れた一端には固定連結ロッド６０が固定的に設けられ、前記固定連結ロッド６０のうち対称中心から離れた一端には伝動装置１０２が噛合するように連結され、前記伝動装置１０２は前記固定連結ロッド６０を駆動することができる。
【００１８】
以下に前記感知装置１００について詳しく説明し、前記感知装置１００は前記回転チャンバ２１の上側内壁の中に連通するように設けられた回りチャンバ１９を含み、前記回りチャンバ１９の中には旋転盤２５が回転できるように設けられ、前記旋転盤２５の中には筒蓋２６が回転できるように設けられ、前記旋転盤２５の中には第一電磁石３４が左右に対称的に、且つ固定的に設けられ、前記第一電磁石３４のうち対称中心に近接した側には第二電磁石２７がスライドできるように設けられ、前記第二電磁石２７と前記第一電磁石３４との間には第一バネ３３が固定的に連結され、前記第二電磁石２７の下端は前記筒蓋２６と当接することができ、これによって前記筒蓋２６が滑り出すことを防ぎ、前記筒蓋２６の中には筒蓋チャンバ８７が設けられ、前記筒蓋チャンバ８７の中にはスライド可能な下押しブロック３１が設けられ、前記下押しブロック３１の上側には上押しブロック３０がスライドできるように設けられ、前記下押しブロック３１と前記上押しブロック３０との間には押しバネ２８が固定的に連結され、前記上押しブロック３０の上端には上十字ブロック２９が固定的に連結され、前記筒蓋チャンバ８７の中には第一水通しブロック２４が固定的に設けられ、前記第一水通しブロック２４が前記下押しブロック３１の下側に位置する。
【００１９】
前記筒蓋２６の下端と前記傘収納筒２３とがねじ山によって連結され、前記傘収納筒２３の中には前記筒蓋チャンバ８７と連通した傘収納チャンバ７５が設けられ、前記傘収納チャンバ７５の中には第二水通しブロック７６が固定的に設けられ、傘を前記第一水通しブロック２４と前記第二水通しブロック７６との間に入れることができ、前記第二水通しブロック７６の下側には前記傘収納チャンバ７５と連通した貯水チャンバ８６が設けられ、前記貯水チャンバ８６の内壁にはスライド溝４７は左右に対称的に、且つ連通するように設けられ、前記スライド溝４７の中にはスライドブロック４６がスライドできるように設けられ、前記貯水チャンバ８６の中にはスライド板５３がスライドできるように設けられ、前記スライド板５３と前記スライドブロック４６のうち対称中心に近接した一端とが固定的に連結され、前記スライド板５３が前記第二水通しブロック７６の下側に位置し、前記スライド板５３の下端には下十字ブロック４５が固定的に連結され、前記下十字ブロック４５の下端は前記乾燥装置１０１と回転できるように連結されることができる。
【００２０】
有益に、前記傘収納筒２３の中には固定連結板９９が固定的に設けられ、前記固定連結板９９の中には水通しチャンバ８３が上下に貫通するように設けられ、前記固定連結板９９の中には歯車チャンバ７８が左右且つ前後に対称的に設けられ、前記水通しチャンバ８３と前記歯車チャンバ７８とが連通しており、前後二つの前記歯車チャンバ７８の間には回転ロッド８１が回転できるように設けられ、前記回転ロッド８１の前後両端と前記歯車チャンバ７８の前後両側内壁との間には復帰トーションバネ７９が固定的に連結され、前記復帰トーションバネ７９の弾力は前記回転ロッド８１を回転連動させることができ、前記回転ロッド８１の円周面には二つの伝動歯車８０がそれぞれ固定的に連結され、前記伝動歯車８０の下端にはラック７７が噛み合っており、前記ラック７７がスライドすることで前記伝動歯車８０を回転連動させることができ、前記回転ロッド８１の円周面には回転板８２が固定的に連結され、前記回転板８２が二つの前記伝動歯車８０の間に位置し、前記回転ロッド８１の回転は前記回転板８２を回転連動させることができ、
前記スライドロッド２２が前記傘収納筒２３に向いてスライドし前記ラック７７を押し動かしてスライドさせる時、前記伝動歯車８０が駆動されて回転し、これによって前記回転板８２を回転連動させる。
【００２１】
以下に前記乾燥装置１０１について詳しく説明し、前記乾燥装置１０１は前記回転チャンバ２１の下側内壁の中に連通するように設けられたベルトチャンバ３６を含み、前記ベルトチャンバ３６の中には大プーリー４１が回転できるように設けられ、前記大プーリー４１の左右両側には小プーリー３７が対称的に、且つ回転できるように設けられ、前記大プーリー４１と二つの前記小プーリー３７とが下側ベルト３９によって連結され、前記ベルトチャンバ３６の中にはファン軸３８が左右に対称的に、且つ回転できるように設けられ、二本の前記ファン軸３８の下端がそれぞれ両側の前記小プーリー３７と固定的に連結され、前記ファン軸３８の上端が前記回転チャンバ２１の中に伸びており、且つ前記ファン軸３８の上端にはファン４３が固定的に連結され、前記大プーリー４１が下モーター軸４２の円周面に固定的に連結され、前記大プーリー４１の中には下モーター軸４２が固定的に連結され、前記ベルトチャンバ３６の下側内壁の中には下側モーター４０が固定的に設けられ、前記下モーター軸４２の下端が前記下側モーター４０に伝動できるように連結され、前記ベルトチャンバ３６の上側内壁の中には旋転チャンバ９７が連通するように設けられ、前記旋転チャンバ９７の中には旋転ブロック４８が回転できるように設けられ、前記下モーター軸４２の上端が前記旋転ブロック４８と固定的に連結され、前記旋転ブロック４８の中には上方に開口した空きチャンバ４９が設けられ、前記空きチャンバ４９の下側内壁には感知スイッチ５１が固定的に連結され、前記感知スイッチ５１の上側には滑りブロック５２がスライドできるように設けられ、前記滑りブロック５２と前記感知スイッチ５１との間には圧縮バネ５０が固定的に連結され、前記滑りブロック５２の上端が前記下十字ブロック４５と当接しており、前記感知スイッチ５１と前記下側モーター４０とが通電できるように連結され、前記圧縮バネ５０が前記感知スイッチ５１を押す時、前記下側モーター４０が作動する。
【００２２】
有益に、前記傘収納筒２３の中には左右に貫通した排水穴９９が設けられ、前記スライドロッド２２の中には固定ロッド１８が固定的に設けられ、前記固定ロッド１８の円周面には吸水棉２０が固定的に設けられ、前記圧縮バネ５０の回転は前記旋転ブロック４８を回転連動させることができ、これによって前記スライド板５３で前記傘収納筒２３を回転連動させ、これによって前記傘収納筒２３の中の水は前記排水穴８８から飛び出し前記吸水棉２０に着くことができ、これによって水を吸収する。
【００２３】
以下に前記伝動装置１０２について詳しく説明し、前記伝動装置１０２は前記回転チャンバ２１の左右両側内壁の中に連通するように設けられた伝動チャンバ７４を含み、前記固定連結ロッド６０の左端が前記伝動チャンバ７４の中に伸びており、前記固定連結ロッド６０の円周面には左位置制限ブロック５６と右位置制限ブロック５９とが固定的に連結され、前記左位置制限ブロック５６が前記右位置制限ブロック５９の左側に位置し、前記左位置制限ブロック５６と前記右位置制限ブロック５９との間にはスリーブ５８がスライドできるように設けられ、前記スリーブ５８が前記固定連結ロッド６０の円周面にスライドできるように設けられ、前記伝動チャンバ７４のうち対称中心から離れた側の内壁の中には噛合チャンバ２００が連通するように設けられ、前記噛合チャンバ２００の左右両側内壁の間にはネジロッド軸５５が回転できるように設けられ、前記ネジロッド軸５５の円周面には下噛合歯車５４が固定的に連結され、前記ネジロッド軸５５のうち対称中心から離れた一端が前記伝動チャンバ７４の中に伸びており、且つ前記ネジロッド軸５５のうち対称中心から離れた一端にはネジ山ブロック５７がねじ山によって連結され、前記ネジ山ブロック５７の上端と前記スリーブ５８とが固定的に連結され、前記固定連結ロッド６０の円周面には下歯車６１が固定的に連結され、前記下歯車６１が前記右位置制限ブロック５９のうち対称中心に近接した側に位置し、前記下歯車６１の上端には上歯車６３が噛合できるように設けられ、前記上歯車６３のうち対称中心から離れた一端にはスライドスリーブ７０が固定的に連結され、前記噛合チャンバ２００の上側内壁の中にはスリーブチャンバ７１が連通するように設けられ、前記スライドスリーブ７０のうち対称中心から離れた一端が前記スリーブチャンバ７１の中に伸びており、且つ前記スライドスリーブ７０のうち対称中心から離れた一端には上噛合歯車７２が固定的に連結され、前記上噛合歯車７２は前記噛合チャンバ２００と噛合することができ、前記上モーター軸６２の円周面には前記スライドスリーブ７０が回転且つスライドできるように設けられ、前記箱体１２の右側内壁の中には上側モーター１０が固定的に設けられ、前記上噛合歯車７２のうち対称中心から離れた一端が前記上側モーター１０に伝動できるように連結され、前記スリーブチャンバ７１のうち対称中心から離れた側の内壁の中にはベルトチャンバ１４が連通するように設けられ、前記ベルトチャンバ１４の中には上同期歯車１１がスライドできるように設けられ、前記上同期歯車１１が前記上モーター軸６２に固定的に連結され、前記上同期歯車１１の下側には下同期歯車１５が回転できるように設けられ、前記下同期歯車１５と前記上同期歯車１１とが同期ベルト１３によって連結され、二つの前記ベルトチャンバ１４の間には回転軸チャンバ１７が連通するように設けられ、前記回転軸チャンバ１７の中には回転軸１６が回転できるように設けられ、前記回転軸１６の左右両端が前記ベルトチャンバ１４の中に伸びており、且つ前記下同期歯車１５と固定的に連結されている。
【００２４】
有益に、前記伝動チャンバ７４の上側内壁には左側電磁石６９が固定的に連結され、前記左側電磁石６９のうち対称中心に近接した側には右側電磁石６７がスライドできるように設けられ、前記右側電磁石６７と前記左側電磁石６９との間には復帰バネ６８が固定的に設けられ、前記右側電磁石６７のうち対称中心に近接した一端には伝動板６６が固定的に設けられ、前記伝動板６６の下端には左押板６５と右押板６４とが固定的に設けられ、前記左押板６５が前記右押板６４のうち対称中心から離れた側に位置し、前記上歯車６３が前記左押板６５と前記右押板６４との間に位置し、前記左側電磁石６９が通電された後、前記右側電磁石６７が前記復帰バネ６８を押し、これによって前記伝動板６６をスライド連動させ、これによって前記右押板６４が前記上歯車６３を押して前記上モーター軸６２と噛合させる。
【００２５】
以下に図１〜９を参照し、本発明の湿度を検知できる乾燥システムの使用手順について詳しく説明する：
【００２６】
初期状態に、筒蓋２６と傘収納筒２３とが互いに離れており、左側電磁石６９が通電されていなく、上噛合歯車７２と下噛合歯車５４とが噛合しており、スライドロッド２２は対称中心から離れた極限位置にあり、二つの第一バネ３３はいずれも通電状態にある。
【００２７】
傘を傘収納チャンバ７５の中に入れ、筒蓋２６と傘収納筒２３とをねじ山によって連結し、第一バネ３３が通電されなくなり、第二電磁石２７がスライドし傘収納筒２３と当接し、上側のモーター１０を始動し、これによって上噛合歯車７２を回転連動させ、これによって下噛合歯車５４を回転連動させ、これによってネジロッド軸５５を回転連動させ、これによってネジ山ブロック５７をスライド連動させ、これによってスリーブ５８が連動されて右位置制限ブロック５９と当接し、これによって固定連結ロッド６０を押し動かしてスライドさせ、スライドロッド２２が傘収納筒２３と当接した時、上側モーター１０を止め、傘に付いた水が第二水通しブロック７６から貯水チャンバ８６の中に流れ込むため、貯水チャンバ８６の中の水が一定の重量に達した時、スライド板５３が押し動かされてスライドし、これによって固定連結ブロック４６を押し動かしスライドさせ、これによって滑りブロック５２を押し動かしてスライドさせ、これによって圧縮バネ５０を圧縮し、これによって感知スイッチ５１に接触し、感知スイッチ５１と下側モーター４０とが通電できるように連結されたため、下側モーター４０を始動し、これによって下側モーター軸４２を回転連動させ、これによって旋転ブロック４８を回転連動させ、これによって滑りブロック５２を回転連動させ、これによって傘収納筒２３を回転連動させ、これによって傘収納チャンバ７５の中の水を振り出し、下側モーター軸４２が回転するのと同時に大プーリー４１を回転連動させ、これによってベルトチャンバ３６によって小プーリー３７を回転連動させ、これによってファン４３を回転連動させ、これによって傘収納筒２３の中の傘を乾かし、下側モーター４０が止まった時、左側電磁石６９が通電され、右側電磁石６７がスライドし伝動板６６をスライド連動させ、これによって右押板６４が駆動されて上歯車６３を押し動かしスライドさせ、これによって上歯車６３と下歯車６１とが噛合し、この時上側モーター１０を始動し、これによって上モーター軸６２を回転連動させ、これによって上歯車６３を回転連動させ、これによって下歯車６１を回転連動させ、これによって固定連結ロッド６０を回転連動させ、これによってスライドロッド２２を回転連動させ、これによって旋転盤２５を回りチャンバ１９の中で百八十度回転連動させた時、上十字ブロック２９が滑りブロック５２の上側に位置し、傘収納チャンバ７５の中の水が下押しブロック３１の中の流れ込み、且つ一定の重量に達した時に筒蓋チャンバ８７をスライドさせ、これによって押しバネ２９を押し圧縮し、これによって上押しブロック３０をスライド連動させ、これによって上十字ブロック２９をスライド連動させ、これによって滑りブロック５２を押し動かしスライドさせ、これによって圧縮バネ５０を圧縮し、感知スイッチ５１を接触し、感知スイッチ５１が下側モーター４０と通電できるように連結されることにより、下側モーター４０が作動し、これによって下モーター軸４２を回転連動させ、これによって旋転ブロック４８を回転連動させ、これによって滑りブロック５２を回転連動させ、これによって傘収納筒２３を回転連動させ、これによって傘収納チャンバ７５の中の水を振り出し、下モーター軸４２が回転するのと同時に大プーリー４１を回転連動させ、これによって下側ベルト３９によって小プーリー３７を回転連動させ、これによってファン４３を回転連動させ、これによって傘収納筒２３の中の傘を乾かし、下側モーター４０が止まった時、左側電磁石６９が通電されなくなり、復帰バネ６８が弾性作用により右側電磁石６７を押し動かしスライドさせ、伝動板６６をスライド連動させ、これによって左押板６５をスライド連動させ、これによってスライドスリーブ７０を押し動かし、上噛合歯車７２と下噛合歯車５４とを噛合させ、上側モーター１０を始動し、ネジロッド軸５５を回転連動させ、これによってネジ山ブロック５７をスライド連動させ、これによってスリーブ５８を左位置制限ブロック５６と当接させ、これによって固定連結ロッド６０を押し動かしスライドさせ、これによってスライドロッド２２と傘収納筒２３とを離れさせた後、スライドロッド２２が限界位置にスライドした時、左側電磁石６９が通電され、右側電磁石６７がスライドし伝動板６６をスライド連動させ、これによって右押板６４が駆動されて上歯車６３を押し動かしスライドさせ、これによって上歯車６３と下歯車６１とが噛合し、この時上側モーター１０を始動し、これによって上モーター軸６２を回転連動させ、これによって上歯車６３を回転連動させ、これによって下歯車６１を回転連動させ、これによって固定連結ロッド６０を回転連動させ、これによってスライドロッド２２を回転連動させ、これによって旋転盤２５を回りチャンバ１９の中に百八十度回転連動させた時、第一電磁石３４が通電され、これによって第二電磁石２７がスライドし、これによって筒蓋２６が回転し開くことができ、これによって傘を取り出すことができる。
【００２８】
本発明の有益効果は：本発明は傘収納筒に収納された傘についた水の重量を検知し、水が一定の重量に達した時、自動的に乾燥装置を始動し、傘を乾かすことができ、また、伝動装置により、傘収納筒を百八十度に回転させ、傘の上下両端とも乾かすことができ、乾燥効果を向上させた。
【００２９】
以上の方式により、本分野の技術者は本発明の範囲内に作動モードによって各種な変形をさせることができる。
【図１】
2020197365.tif 000003
【図２】
2020197365.tif 000004
【図３】
2020197365.tif 000005
【図４】
2020197365.tif 000006
【図５】
2020197365.tif 000007
【図６】
2020197365.tif 000008
【図７】
2020197365.tif 000009
【図８】
2020197365.tif 000010
【図９】
2020197365.tif 000011
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
正面視で、箱体を含み、 
前記箱体の中には回転チャンバが設けられ、前記回転チャンバの中にはスライドロッドが左右に対称的に、且つスライドできるように設けられ、前記スライドロッドのうち対称中心に近接した一端には傘収納筒が当接しており、前記傘収納筒の中には感知装置が設けられ、前記感知装置は水の重量を検知でき、 
前記傘収納筒の下側には乾燥装置が設けられ、前記感知装置と前記乾燥装置とが回転できるように連結され、前記乾燥装置は傘を乾かすことができ、 
前記スライドロッドのうち対称中心から離れた一端には固定連結ロッドが固定的に設けられ、前記固定連結ロッドのうち対称中心から離れた一端には伝動装置が噛合するように連結され、前記伝動装置は前記固定連結ロッドを駆動して回転またはスライドさせることができることを特徴とする湿度を検知できる乾燥システム。 
【請求項２】
前記感知装置は前記回転チャンバの上側内壁の中に連通するように設けられた回りチャンバを含み、前記回りチャンバの中には旋転盤が回転できるように設けられ、前記旋転盤の中には筒蓋が回転できるように設けられ、前記旋転盤の中には第一電磁石が左右に対称的に、且つ固定的に設けられ、前記第一電磁石のうち対称中心に近接した側には第二電磁石がスライドできるように設けられ、前記第二電磁石と前記第一電磁石との間には第一バネが固定的に連結され、前記第二電磁石の下端は前記筒蓋と当接することができ、これによって前記筒蓋が滑り出すことを防ぎ、前記筒蓋の中には筒蓋チャンバが設けられ、前記筒蓋チャンバの中にはスライド可能な下押しブロックが設けられ、前記下押しブロックの上側には上押しブロックがスライドできるように設けられ、前記下押しブロックと前記上押しブロックとの間には押しバネが固定的に連結され、前記上押しブロックの上端には上十字ブロックが固定的に連結され、前記筒蓋チャンバの中には第一水通しブロックが固定的に設けられ、前記第一水通しブロックが前記下押しブロックの下側に位置することを特徴とする請求項１に記載の湿度を検知できる乾燥システム。 
【請求項３】
前記筒蓋の下端と前記傘収納筒とがねじ山によって連結され、前記傘収納筒の中には前記筒蓋チャンバと連通した傘収納チャンバが設けられ、前記傘収納チャンバの中には第二水通しブロックが固定的に設けられ、傘を前記第一水通しブロックと前記第二水通しブロックとの間に入れることができ、前記第二水通しブロックの下側には前記傘収納チャンバと連通した貯水チャンバが設けられ、前記貯水チャンバの内壁にはスライド溝は左右に対称的に、且つ連通するように設けられ、前記スライド溝の中にはスライドブロックがスライドできるように設けられ、前記貯水チャンバの中にはスライド板がスライドできるように設けられ、前記スライド板と前記スライドブロックのうち対称中心に近接した一端とが固定的に連結され、前記スライド板が前記第二水通しブロックの下側に位置し、前記スライド板の下端には下十字ブロックが固定的に連結され、前記下十字ブロックの下端は前記乾燥装置と回転できるように連結されることができることを特徴とする請求項２に記載の湿度を検知できる乾燥システム。 
【請求項４】
前記傘収納筒の中には固定連結板が固定的に設けられ、前記固定連結板の中には水通しチャンバが上下に貫通するように設けられ、前記固定連結板の中には歯車チャンバが左右且つ前後に対称的に設けられ、前記水通しチャンバと前記歯車チャンバとが連通しており、 
前後二つの前記歯車チャンバの間には回転ロッドが回転できるように設けられ、前記回転ロッドの前後両端と前記歯車チャンバの前後両側内壁との間には復帰トーションバネが固定的に連結され、前記復帰トーションバネの弾力は前記回転ロッドを回転連動させることができ、前記回転ロッドの円周面には二つの伝動歯車がそれぞれ固定的に連結され、前記伝動歯車の下端にはラックが噛み合っており、前記ラックがスライドすることで前記伝動歯車を回転連動させることができ、前記回転ロッドの円周面には回転板が固定的に連結され、前記回転板が二つの前記伝動歯車の間に位置し、前記回転ロッドの回転は前記回転板を回転連動させることができることを特徴とする請求項３に記載の湿度を検知できる乾燥システム。 
【請求項５】
前記乾燥装置は前記回転チャンバの下側内壁の中に連通するように設けられたベルトチャンバを含み、前記ベルトチャンバの中には大プーリーが回転できるように設けられ、前記大プーリーの左右両側には小プーリーが対称的に、且つ回転できるように設けられ、前記大プーリーと二つの前記小プーリーとが下側ベルトによって連結され、前記ベルトチャンバの中にはファン軸が左右に対称的に、且つ回転できるように設けられ、二本の前記ファン軸の下端がそれぞれ両側の前記小プーリーと固定的に連結され、前記ファン軸の上端が前記回転チャンバの中に伸びており、且つ前記ファン軸の上端にはファンが固定的に連結され、前記大プーリーが下モーター軸の円周面に固定的に連結され、前記大プーリーの中には下モーター軸が固定的に連結され、前記ベルトチャンバの下側内壁の中には下側モーターが固定的に設けられ、前記下モーター軸の下端が前記下側モーターに伝動できるように連結され、前記ベルトチャンバの上側内壁の中には旋転チャンバが連通するように設けられ、前記旋転チャンバの中には旋転ブロックが回転できるように設けられ、前記下モーター軸の上端が前記旋転ブロックと固定的に連結され、前記旋転ブロックの中には上方に開口した空きチャンバが設けられ、前記空きチャンバの下側内壁には感知スイッチが固定的に連結され、前記感知スイッチの上側には滑りブロックがスライドできるように設けられ、前記滑りブロックと前記感知スイッチとの間には圧縮バネが固定的に連結され、前記滑りブロックの上端が前記下十字ブロックと当接しており、前記感知スイッチと前記下側モーターとが通電できるように連結されていることを特徴とする請求項４に記載の湿度を検知できる乾燥システム。 
【請求項６】
記傘収納筒の中には左右に貫通した排水穴が設けられ、前記スライドロッドの中には固定ロッドが固定的に設けられ、前記固定ロッドの円周面には吸水棉が固定的に設けられていることを特徴とする請求項５に記載の湿度を検知できる乾燥システム。 
【請求項７】
前記伝動装置は前記回転チャンバの左右両側内壁の中に連通するように設けられた伝動チャンバを含み、前記固定連結ロッドの左端が前記伝動チャンバの中に伸びており、前記固定連結ロッドの円周面には左位置制限ブロックと右位置制限ブロックとが固定的に連結され、前記左位置制限ブロックが前記右位置制限ブロックの左側に位置し、前記左位置制限ブロックと前記右位置制限ブロックとの間にはスリーブがスライドできるように設けられ、前記スリーブが前記固定連結ロッドの円周面にスライドできるように設けられ、前記伝動チャンバのうち対称中心から離れた側の内壁の中には噛合チャンバが連通するように設けられ、前記噛合チャンバの左右両側内壁の間にはネジロッド軸が回転できるように設けられ、前記ネジロッド軸の円周面には下噛合歯車が固定的に連結され、前記ネジロッド軸のうち対称中心から離れた一端が前記伝動チャンバの中に伸びており、且つ前記ネジロッド軸のうち対称中心から離れた一端にはネジ山ブロックがねじ山によって連結され、前記ネジ山ブロックの上端と前記スリーブとが固定的に連結され、前記固定連結ロッドの円周面には下歯車が固定的に連結され、前記下歯車が前記右位置制限ブロックのうち対称中心に近接した側に位置し、前記下歯車の上端には上歯車が噛合できるように設けられ、前記上歯車のうち対称中心から離れた一端にはスライドスリーブが固定的に連結され、前記噛合チャンバの上側内壁の中にはスリーブチャンバが連通するように設けられ、前記スライドスリーブのうち対称中心から離れた一端が前記スリーブチャンバの中に伸びており、且つ前記スライドスリーブのうち対称中心から離れた一端には上噛合歯車が固定的に連結され、前記上噛合歯車は前記噛合チャンバと噛合することができ、前記スライドスリーブが上モーター軸の円周面に回転且つスライドできるように設けられ、前記箱体の右側内壁の中には上側モーターが固定的に設けられ、前記上噛合歯車のうち対称中心から離れた一端が前記上側モーターに伝動できるように連結され、前記スリーブチャンバのうち対称中心から離れた側の内壁の中にはベルトチャンバが連通するように設けられ、前記ベルトチャンバの中には上同期歯車がスライドできるように設けられ、前記上同期歯車が前記上モーター軸に固定的に連結され、前記上同期歯車の下側には下同期歯車が回転できるように設けられ、前記下同期歯車と前記上同期歯車とが同期ベルトによって連結され、二つの前記ベルトチャンバの間には回転軸チャンバが連通するように設けられ、前記回転軸チャンバの中には回転軸が回転できるように設けられ、前記回転軸の左右両端が前記ベルトチャンバの中に伸びており、且つ前記下同期歯車と固定的に連結されていることを特徴とする請求項１に記載の湿度を検知できる乾燥システム。 
【請求項８】
前記伝動チャンバの上側内壁には左側電磁石が固定的に連結され、前記左側電磁石のうち対称中心に近接した側には右側電磁石がスライドできるように設けられ、前記右側電磁石と前記左側電磁石との間には復帰バネが固定的に設けられ、前記右側電磁石のうち対称中心に近接した一端には伝動板が固定的に設けられ、前記伝動板の下端には左押板と右押板とが固定的に設けられ、前記左押板が前記右押板のうち対称中心から離れた側に位置し、 
前記上歯車が前記左押板と前記右押板との間に位置することを特徴とする請求項７に記載の湿度を検知できる乾燥システム。
【手続補正２】
【補正対象書類名】明細書
【補正対象項目名】全文
【補正方法】変更
【補正の内容】
【発明の詳細な説明】
【技術分野】
【０００１】
本発明は乾燥分野を取り上げて、具体的には湿度を検知できる乾燥システムである。 
【背景技術】
【０００２】
雨の日に濡れた傘を室内に置くと、地面を濡らし、室内での歩きに不便をもたらし、また、濡れた傘についた水は傘の内部構造にダメージを与え、普通人々はただ簡単に傘を置いて干しあるいは傘に付いた水を落とし、有効に傘を乾かすことができなく、時間が無駄に使われるだけでなく、生活に不便を招き、従って、湿度を検知できる乾燥システムを設計する必要があり、本発明は傘収納筒に収納された傘についた水の重量を検知し、水が一定の重量に達した時、自動的に乾燥装置を始動し、傘を乾かすことができ、また、伝動装置により、傘収納筒を百八十度に回転させ、傘の上下両端とも乾かすことができ、乾燥効果を向上させた。 
【先行技術文献】
【特許文献】
【０００３】
【特許文献１】中国特許出願公開第１０３４３９３７０号明細書
【発明の概要】
【発明が解決しようとする課題】
【０００４】
本発明の目的は湿度を検知できる乾燥システムを提供し、それは上記の現在の技術中の問題を解決できる。 
【課題を解決するための手段】
【０００５】
本発明の湿度を検知できる乾燥システムは、箱体を含み、前記箱体の中には回転チャンバが設けられ、前記回転チャンバの中にはスライドロッドが左右に対称的に、且つスライドできるように設けられ、前記スライドロッドのうち対称中心に近接した一端には傘収納筒が当接しており、前記傘収納筒の中には感知装置が設けられ、前記感知装置は水の重量を検知でき、前記傘収納筒の下側には乾燥装置が設けられ、前記感知装置と前記乾燥装置とが回転できるように連結され、前記乾燥装置は傘を乾かすことができ、前記スライドロッドのうち対称中心から離れた一端には固定連結ロッドが固定的に設けられ、前記固定連結ロッドのうち対称中心から離れた一端には伝動装置が噛合するように連結され、前記伝動装置は前記固定連結ロッドを駆動して回転またはスライドさせることができる。 
【０００６】
優選の技術プランとして、前記感知装置は前記回転チャンバの上側内壁の中に連通するように設けられた回りチャンバを含み、前記回りチャンバの中には旋転盤が回転できるように設けられ、前記旋転盤の中には筒蓋が回転できるように設けられ、前記旋転盤の中には第一電磁石が左右に対称的に、且つ固定的に設けられ、前記第一電磁石のうち対称中心に近接した側には第二電磁石がスライドできるように設けられ、前記第二電磁石と前記第一電磁石との間には第一バネが固定的に連結され、前記第二電磁石の下端は前記筒蓋と当接することができ、これによって前記筒蓋が滑り出すことを防ぎ、前記筒蓋の中には筒蓋チャンバが設けられ、前記筒蓋チャンバの中にはスライド可能な下押しブロックが設けられ、前記下押しブロックの上側には上押しブロックがスライドできるように設けられ、前記下押しブロックと前記上押しブロックとの間には押しバネが固定的に連結され、前記上押しブロックの上端には上十字ブロックが固定的に連結され、前記筒蓋チャンバの中には第一水通しブロックが固定的に設けられ、前記第一水通しブロックが前記下押しブロックの下側に位置する。 
【０００７】
優選の技術プランとして、前記筒蓋の下端と前記傘収納筒とがねじ山によって連結され、 
前記傘収納筒の中には前記筒蓋チャンバと連通した傘収納チャンバが設けられ、前記傘収納チャンバの中には第二水通しブロックが固定的に設けられ、傘を前記第一水通しブロックと前記第二水通しブロックとの間に入れることができ、前記第二水通しブロックの下側には前記傘収納チャンバと連通した貯水チャンバが設けられ、前記貯水チャンバの内壁にはスライド溝は左右に対称的に、且つ連通するように設けられ、前記スライド溝の中にはスライドブロックがスライドできるように設けられ、前記貯水チャンバの中にはスライド板がスライドできるように設けられ、前記スライド板と前記スライドブロックのうち対称中心に近接した一端とが固定的に連結され、前記スライド板が前記第二水通しブロックの下側に位置し、前記スライド板の下端には下十字ブロックが固定的に連結され、前記下十字ブロックの下端は前記乾燥装置と回転できるように連結されることができる。 
【０００８】
優選の技術プランとして、前記傘収納筒の中には固定連結板が固定的に設けられ、前記固定連結板の中には水通しチャンバが上下に貫通するように設けられ、前記固定連結板の中には歯車チャンバが左右且つ前後に対称的に設けられ、前記水通しチャンバと前記歯車チャンバとが連通しており、前後二つの前記歯車チャンバの間には回転ロッドが回転できるように設けられ、前記回転ロッドの前後両端と前記歯車チャンバの前後両側内壁との間には復帰トーションバネが固定的に連結され、前記復帰トーションバネの弾力は前記回転ロッドを回転連動させることができ、前記回転ロッドの円周面には二つの伝動歯車がそれぞれ固定的に連結され、前記伝動歯車の下端にはラックが噛み合っており、前記ラックがスライドすることで前記伝動歯車を回転連動させることができ、前記回転ロッドの円周面には回転板が固定的に連結され、前記回転板が二つの前記伝動歯車の間に位置し、前記回転ロッドの回転は前記回転板を回転連動させることができ、前記スライドロッドが前記傘収納筒に向いてスライドし前記ラックを押し動かしてスライドさせる時、前記伝動歯車が駆動されて回転し、これによって前記回転板を回転連動させる。
【０００９】
優選の技術プランとして、前記乾燥装置は前記回転チャンバの下側内壁の中に連通するように設けられたベルトチャンバを含み、前記ベルトチャンバの中には大プーリーが回転できるように設けられ、前記大プーリーの左右両側には小プーリーが対称的に、且つ回転できるように設けられ、前記大プーリーと二つの前記小プーリーとが下側ベルトによって連結され、前記ベルトチャンバの中にはファン軸が左右に対称的に、且つ回転できるように設けられ、二本の前記ファン軸の下端がそれぞれ両側の前記小プーリーと固定的に連結され、前記ファン軸の上端が前記回転チャンバの中に伸びており、且つ前記ファン軸の上端にはファンが固定的に連結され、前記大プーリーが下モーター軸の円周面に固定的に連結され、前記大プーリーの中には下モーター軸が固定的に連結され、前記ベルトチャンバの下側内壁の中には下側モーターが固定的に設けられ、前記下モーター軸の下端が前記下側モーターに伝動できるように連結され、前記ベルトチャンバの上側内壁の中には旋転チャンバが連通するように設けられ、前記旋転チャンバの中には旋転ブロックが回転できるように設けられ、前記下モーター軸の上端が前記旋転ブロックと固定的に連結され、前記旋転ブロックの中には上方に開口した空きチャンバが設けられ、前記空きチャンバの下側内壁には感知スイッチが固定的に連結され、前記感知スイッチの上側には滑りブロックがスライドできるように設けられ、前記滑りブロックと前記感知スイッチとの間には圧縮バネが固定的に連結され、前記滑りブロックの上端が前記下十字ブロックと当接しており、前記感知スイッチと前記下側モーターとが通電できるように連結されている。 
【００１０】
優選の技術プランとして、前記傘収納筒の中には左右に貫通した排水穴が設けられ、前記スライドロッドの中には固定ロッドが固定的に設けられ、前記固定ロッドの円周面には吸水棉が固定的に設けられ、前記圧縮バネの回転は前記旋転ブロックを回転連動させることができ、これによって前記スライド板で前記傘収納筒を回転連動させ、これによって前記傘収納筒の中の水は前記排水穴から飛び出し前記吸水棉に着くことができ、これによって水を吸収する。 
【００１１】
優選の技術プランとして、前記伝動装置は前記回転チャンバの左右両側内壁の中に連通するように設けられた伝動チャンバを含み、前記固定連結ロッドの左端が前記伝動チャンバの中に伸びており、前記固定連結ロッドの円周面には左位置制限ブロックと右位置制限ブロックとが固定的に連結され、前記左位置制限ブロックが前記右位置制限ブロックの左側に位置し、前記左位置制限ブロックと前記右位置制限ブロックとの間にはスリーブがスライドできるように設けられ、前記スリーブが前記固定連結ロッドの円周面にスライドできるように設けられ、前記伝動チャンバのうち対称中心から離れた側の内壁の中には噛合チャンバが連通するように設けられ、前記噛合チャンバの左右両側内壁の間にはネジロッド軸が回転できるように設けられ、前記ネジロッド軸の円周面には下噛合歯車が固定的に連結され、前記ネジロッド軸のうち対称中心から離れた一端が前記伝動チャンバの中に伸びており、且つ前記ネジロッド軸のうち対称中心から離れた一端にはネジ山ブロックがねじ山によって連結され、前記ネジ山ブロックの上端と前記スリーブとが固定的に連結され、前記固定連結ロッドの円周面には下歯車が固定的に連結され、前記下歯車が前記右位置制限ブロックのうち対称中心に近接した側に位置し、前記下歯車の上端には上歯車が噛合できるように設けられ、前記上歯車のうち対称中心から離れた一端にはスライドスリーブが固定的に連結され、前記噛合チャンバの上側内壁の中にはスリーブチャンバが連通するように設けられ、前記スライドスリーブのうち対称中心から離れた一端が前記スリーブチャンバの中に伸びており、且つ前記スライドスリーブのうち対称中心から離れた一端には上噛合歯車が固定的に連結され、前記上噛合歯車は前記噛合チャンバと噛合することができ、前記スライドスリーブが上モーター軸の円周面に回転且つスライドできるように設けられ、前記箱体の右側内壁の中には上側モーターが固定的に設けられ、前記上噛合歯車のうち対称中心から離れた一端が前記上側モーターに伝動できるように連結され、前記スリーブチャンバのうち対称中心から離れた側の内壁の中にはベルトチャンバが連通するように設けられ、前記ベルトチャンバの中には上同期歯車がスライドできるように設けられ、前記上同期歯車が前記上モーター軸に固定的に連結され、前記上同期歯車の下側には下同期歯車が回転できるように設けられ、前記下同期歯車と前記上同期歯車とが同期ベルトによって連結され、二つの前記ベルトチャンバの間には回転軸チャンバが連通するように設けられ、前記回転軸チャンバの中には回転軸が回転できるように設けられ、前記回転軸の左右両端が前記ベルトチャンバの中に伸びており、且つ前記下同期歯車と固定的に連結されている。 
【００１２】
優選の技術プランとして、前記伝動チャンバの上側内壁には左側電磁石が固定的に連結され、前記左側電磁石のうち対称中心に近接した側には右側電磁石がスライドできるように設けられ、前記右側電磁石と前記左側電磁石との間には復帰バネが固定的に設けられ、前記右側電磁石のうち対称中心に近接した一端には伝動板が固定的に設けられ、前記伝動板の下端には左押板と右押板とが固定的に設けられ、前記左押板が前記右押板のうち対称中心から離れた側に位置し、前記上歯車が前記左押板と前記右押板との間に位置し、前記左側電磁石が通電された後、前記右側電磁石が前記復帰バネを押し、これによって前記伝動板をスライド連動させ、これによって前記右押板が前記上歯車を押して前記上モーター軸と噛合させる。 
【発明の効果】
【００１３】
本発明は傘収納筒に収納された傘についた水の重量を検知し、水が一定の重量に達した時、自動的に乾燥装置を始動し、傘を乾かすことができ、また、伝動装置により、傘収納筒を百八十度に回転させ、傘の上下両端とも乾かすことができ、乾燥効果を向上させた。 
【図面の簡単な説明】
【００１４】
下記に図１〜９をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１５】
【図１】図１は本発明の湿度を検知できる乾燥システムの全体構成略図
【図２】図２は図１のＡ―Ａ方向の構成略図
【図３】図３は図１のＢの拡大略図
【図４】図４は図３のＣ―Ｃ方向の構成略図
【図５】図５は図１のＤの拡大略図
【図６】図６は図５のＥの拡大略図
【図７】図７は図６のＦ―Ｆ方向の構成略図
【図８】図８は図１のＧの拡大略図
【図９】図９は図５のＨ―Ｈ方向の構成略図
【発明を実施するための形態】
【００１６】
本発明の湿度を検知できる乾燥システムは、主に傘乾かしに適用され、以下に付図をあわせて本発明について説明する： 
【００１７】
本発明の湿度を検知できる乾燥システムは、箱体１２を含み、前記箱体１２の中には回転チャンバ２１が設けられ、前記回転チャンバ２１の中にはスライドロッド２２が左右に対称的に、且つスライドできるように設けられ、前記スライドロッド２２のうち対称中心に近接した一端には傘収納筒２３が当接しており、前記傘収納筒２３の中には感知装置１００が設けられ、前記感知装置１００は水の重量を検知でき、前記傘収納筒２３の下側には乾燥装置１０１が設けられ、前記感知装置１００と前記乾燥装置１０１とが回転できるように連結され、前記乾燥装置１０１は傘を乾かすことができ、前記スライドロッド２２のうち対称中心から離れた一端には固定連結ロッド６０が固定的に設けられ、前記固定連結ロッド６０のうち対称中心から離れた一端には伝動装置１０２が噛合するように連結され、前記伝動装置１０２は前記固定連結ロッド６０を駆動することができる。 
【００１８】
以下に前記感知装置１００について詳しく説明し、前記感知装置１００は前記回転チャンバ２１の上側内壁の中に連通するように設けられた回りチャンバ１９を含み、前記回りチャンバ１９の中には旋転盤２５が回転できるように設けられ、前記旋転盤２５の中には筒蓋２６が回転できるように設けられ、前記旋転盤２５の中には第一電磁石３４が左右に対称的に、且つ固定的に設けられ、前記第一電磁石３４のうち対称中心に近接した側には第二電磁石２７がスライドできるように設けられ、前記第二電磁石２７と前記第一電磁石３４との間には第一バネ３３が固定的に連結され、前記第二電磁石２７の下端は前記筒蓋２６と当接することができ、これによって前記筒蓋２６が滑り出すことを防ぎ、前記筒蓋２６の中には筒蓋チャンバ８７が設けられ、前記筒蓋チャンバ８７の中にはスライド可能な下押しブロック３１が設けられ、前記下押しブロック３１の上側には上押しブロック３０がスライドできるように設けられ、前記下押しブロック３１と前記上押しブロック３０との間には押しバネ２８が固定的に連結され、前記上押しブロック３０の上端には上十字ブロック２９が固定的に連結され、前記筒蓋チャンバ８７の中には第一水通しブロック２４が固定的に設けられ、前記第一水通しブロック２４が前記下押しブロック３１の下側に位置する。 
【００１９】
前記筒蓋２６の下端と前記傘収納筒２３とがねじ山によって連結され、前記傘収納筒２３の中には前記筒蓋チャンバ８７と連通した傘収納チャンバ７５が設けられ、前記傘収納チャンバ７５の中には第二水通しブロック７６が固定的に設けられ、傘を前記第一水通しブロック２４と前記第二水通しブロック７６との間に入れることができ、前記第二水通しブロック７６の下側には前記傘収納チャンバ７５と連通した貯水チャンバ８６が設けられ、前記貯水チャンバ８６の内壁にはスライド溝４７は左右に対称的に、且つ連通するように設けられ、前記スライド溝４７の中にはスライドブロック４６がスライドできるように設けられ、前記貯水チャンバ８６の中にはスライド板５３がスライドできるように設けられ、前記スライド板５３と前記スライドブロック４６のうち対称中心に近接した一端とが固定的に連結され、前記スライド板５３が前記第二水通しブロック７６の下側に位置し、前記スライド板５３の下端には下十字ブロック４５が固定的に連結され、前記下十字ブロック４５の下端は前記乾燥装置１０１と回転できるように連結されることができる。 
【００２０】
有益に、前記傘収納筒２３の中には固定連結板９９が固定的に設けられ、前記固定連結板９９の中には水通しチャンバ８３が上下に貫通するように設けられ、前記固定連結板９９の中には歯車チャンバ７８が左右且つ前後に対称的に設けられ、前記水通しチャンバ８３と前記歯車チャンバ７８とが連通しており、前後二つの前記歯車チャンバ７８の間には回転ロッド８１が回転できるように設けられ、前記回転ロッド８１の前後両端と前記歯車チャンバ７８の前後両側内壁との間には復帰トーションバネ７９が固定的に連結され、前記復帰トーションバネ７９の弾力は前記回転ロッド８１を回転連動させることができ、前記回転ロッド８１の円周面には二つの伝動歯車８０がそれぞれ固定的に連結され、前記伝動歯車８０の下端にはラック７７が噛み合っており、前記ラック７７がスライドすることで前記伝動歯車８０を回転連動させることができ、前記回転ロッド８１の円周面には回転板８２が固定的に連結され、前記回転板８２が二つの前記伝動歯車８０の間に位置し、前記回転ロッド８１の回転は前記回転板８２を回転連動させることができ、前記スライドロッド２２が前記傘収納筒２３に向いてスライドし前記ラック７７を押し動かしてスライドさせる時、前記伝動歯車８０が駆動されて回転し、これによって前記回転板８２を回転連動させる。 
【００２１】
以下に前記乾燥装置１０１について詳しく説明し、前記乾燥装置１０１は前記回転チャンバ２１の下側内壁の中に連通するように設けられたベルトチャンバ３６を含み、前記ベルトチャンバ３６の中には大プーリー４１が回転できるように設けられ、前記大プーリー４１の左右両側には小プーリー３７が対称的に、且つ回転できるように設けられ、前記大プーリー４１と二つの前記小プーリー３７とが下側ベルト３９によって連結され、前記ベルトチャンバ３６の中にはファン軸３８が左右に対称的に、且つ回転できるように設けられ、二本の前記ファン軸３８の下端がそれぞれ両側の前記小プーリー３７と固定的に連結され、前記ファン軸３８の上端が前記回転チャンバ２１の中に伸びており、且つ前記ファン軸３８の上端にはファン４３が固定的に連結され、前記大プーリー４１が下モーター軸４２の円周面に固定的に連結され、前記大プーリー４１の中には下モーター軸４２が固定的に連結され、前記ベルトチャンバ３６の下側内壁の中には下側モーター４０が固定的に設けられ、前記下モーター軸４２の下端が前記下側モーター４０に伝動できるように連結され、前記ベルトチャンバ３６の上側内壁の中には旋転チャンバ９７が連通するように設けられ、前記旋転チャンバ９７の中には旋転ブロック４８が回転できるように設けられ、前記下モーター軸４２の上端が前記旋転ブロック４８と固定的に連結され、前記旋転ブロック４８の中には上方に開口した空きチャンバ４９が設けられ、前記空きチャンバ４９の下側内壁には感知スイッチ５１が固定的に連結され、前記感知スイッチ５１の上側には滑りブロック５２がスライドできるように設けられ、前記滑りブロック５２と前記感知スイッチ５１との間には圧縮バネ５０が固定的に連結され、前記滑りブロック５２の上端が前記下十字ブロック４５と当接しており、前記感知スイッチ５１と前記下側モーター４０とが通電できるように連結され、前記圧縮バネ５０が前記感知スイッチ５１を押す時、前記下側モーター４０が作動する。 
【００２２】
有益に、前記傘収納筒２３の中には左右に貫通した排水穴９９が設けられ、前記スライドロッド２２の中には固定ロッド１８が固定的に設けられ、前記固定ロッド１８の円周面には吸水棉２０が固定的に設けられ、前記圧縮バネ５０の回転は前記旋転ブロック４８を回転連動させることができ、これによって前記スライド板５３で前記傘収納筒２３を回転連動させ、これによって前記傘収納筒２３の中の水は前記排水穴８８から飛び出し前記吸水棉２０に着くことができ、これによって水を吸収する。 
【００２３】
以下に前記伝動装置１０２について詳しく説明し、前記伝動装置１０２は前記回転チャンバ２１の左右両側内壁の中に連通するように設けられた伝動チャンバ７４を含み、前記固定連結ロッド６０の左端が前記伝動チャンバ７４の中に伸びており、前記固定連結ロッド６０の円周面には左位置制限ブロック５６と右位置制限ブロック５９とが固定的に連結され、前記左位置制限ブロック５６が前記右位置制限ブロック５９の左側に位置し、前記左位置制限ブロック５６と前記右位置制限ブロック５９との間にはスリーブ５８がスライドできるように設けられ、前記スリーブ５８が前記固定連結ロッド６０の円周面にスライドできるように設けられ、前記伝動チャンバ７４のうち対称中心から離れた側の内壁の中には噛合チャンバ２００が連通するように設けられ、前記噛合チャンバ２００の左右両側内壁の間にはネジロッド軸５５が回転できるように設けられ、前記ネジロッド軸５５の円周面には下噛合歯車５４が固定的に連結され、前記ネジロッド軸５５のうち対称中心から離れた一端が前記伝動チャンバ７４の中に伸びており、且つ前記ネジロッド軸５５のうち対称中心から離れた一端にはネジ山ブロック５７がねじ山によって連結され、前記ネジ山ブロック５７の上端と前記スリーブ５８とが固定的に連結され、前記固定連結ロッド６０の円周面には下歯車６１が固定的に連結され、前記下歯車６１が前記右位置制限ブロック５９のうち対称中心に近接した側に位置し、前記下歯車６１の上端には上歯車６３が噛合できるように設けられ、前記上歯車６３のうち対称中心から離れた一端にはスライドスリーブ７０が固定的に連結され、前記噛合チャンバ２００の上側内壁の中にはスリーブチャンバ７１が連通するように設けられ、前記スライドスリーブ７０のうち対称中心から離れた一端が前記スリーブチャンバ７１の中に伸びており、且つ前記スライドスリーブ７０のうち対称中心から離れた一端には上噛合歯車７２が固定的に連結され、前記上噛合歯車７２は前記噛合チャンバ２００と噛合することができ、前記スライドスリーブ７０が上モーター軸６２の円周面に回転且つスライドできるように設けられ、前記箱体１２の右側内壁の中には上側モーター１０が固定的に設けられ、前記上噛合歯車７２のうち対称中心から離れた一端が前記上側モーター１０に伝動できるように連結され、前記スリーブチャンバ７１のうち対称中心から離れた側の内壁の中にはベルトチャンバ１４が連通するように設けられ、前記ベルトチャンバ１４の中には上同期歯車１１がスライドできるように設けられ、前記上同期歯車１１が前記上モーター軸６２に固定的に連結され、前記上同期歯車１１の下側には下同期歯車１５が回転できるように設けられ、前記下同期歯車１５と前記上同期歯車１１とが同期ベルト１３によって連結され、二つの前記ベルトチャンバ１４の間には回転軸チャンバ１７が連通するように設けられ、前記回転軸チャンバ１７の中には回転軸１６が回転できるように設けられ、前記回転軸１６の左右両端が前記ベルトチャンバ１４の中に伸びており、且つ前記下同期歯車１５と固定的に連結されている。 
【００２４】
有益に、前記伝動チャンバ７４の上側内壁には左側電磁石６９が固定的に連結され、前記左側電磁石６９のうち対称中心に近接した側には右側電磁石６７がスライドできるように設けられ、前記右側電磁石６７と前記左側電磁石６９との間には復帰バネ６８が固定的に設けられ、前記右側電磁石６７のうち対称中心に近接した一端には伝動板６６が固定的に設けられ、前記伝動板６６の下端には左押板６５と右押板６４とが固定的に設けられ、前記左押板６５が前記右押板６４のうち対称中心から離れた側に位置し、前記上歯車６３が前記左押板６５と前記右押板６４との間に位置し、前記左側電磁石６９が通電された後、前記右側電磁石６７が前記復帰バネ６８を押し、これによって前記伝動板６６をスライド連動させ、これによって前記右押板６４が前記上歯車６３を押して前記上モーター軸６２と噛合させる。 
【００２５】
以下に図１〜９を参照し、本発明の湿度を検知できる乾燥システムの使用手順について詳しく説明する： 
【００２６】
初期状態に、筒蓋２６と傘収納筒２３とが互いに離れており、左側電磁石６９が通電されていなく、上噛合歯車７２と下噛合歯車５４とが噛合しており、スライドロッド２２は対称中心から離れた極限位置にあり、二つの第一バネ３３はいずれも通電状態にある。 
【００２７】
傘を傘収納チャンバ７５の中に入れ、筒蓋２６と傘収納筒２３とをねじ山によって連結し、第一バネ３３が通電されなくなり、第二電磁石２７がスライドし傘収納筒２３と当接し、上側のモーター１０を始動し、これによって上噛合歯車７２を回転連動させ、これによって下噛合歯車５４を回転連動させ、これによってネジロッド軸５５を回転連動させ、これによってネジ山ブロック５７をスライド連動させ、これによってスリーブ５８が連動されて右位置制限ブロック５９と当接し、これによって固定連結ロッド６０を押し動かしてスライドさせ、スライドロッド２２が傘収納筒２３と当接した時、上側モーター１０を止め、傘に付いた水が第二水通しブロック７６から貯水チャンバ８６の中に流れ込むため、貯水チャンバ８６の中の水が一定の重量に達した時、スライド板５３が押し動かされてスライドし、これによって固定連結ブロック４６を押し動かしスライドさせ、これによって滑りブロック５２を押し動かしてスライドさせ、これによって圧縮バネ５０を圧縮し、これによって感知スイッチ５１に接触し、感知スイッチ５１と下側モーター４０とが通電できるように連結されたため、下側モーター４０を始動し、これによって下側モーター軸４２を回転連動させ、これによって旋転ブロック４８を回転連動させ、これによって滑りブロック５２を回転連動させ、これによって傘収納筒２３を回転連動させ、これによって傘収納チャンバ７５の中の水を振り出し、下側モーター軸４２が回転するのと同時に大プーリー４１を回転連動させ、これによってベルトチャンバ３６によって小プーリー３７を回転連動させ、これによってファン４３を回転連動させ、これによって傘収納筒２３の中の傘を乾かし、下側モーター４０が止まった時、左側電磁石６９が通電され、右側電磁石６７がスライドし伝動板６６をスライド連動させ、これによって右押板６４が駆動されて上歯車６３を押し動かしスライドさせ、これによって上歯車６３と下歯車６１とが噛合し、この時上側モーター１０を始動し、これによって上モーター軸６２を回転連動させ、これによって上歯車６３を回転連動させ、これによって下歯車６１を回転連動させ、これによって固定連結ロッド６０を回転連動させ、これによってスライドロッド２２を回転連動させ、これによって旋転盤２５を回りチャンバ１９の中で百八十度回転連動させた時、上十字ブロック２９が滑りブロック５２の上側に位置し、傘収納チャンバ７５の中の水が下押しブロック３１の中の流れ込み、且つ一定の重量に達した時に筒蓋チャンバ８７をスライドさせ、これによって押しバネ２９を押し圧縮し、これによって上押しブロック３０をスライド連動させ、これによって上十字ブロック２９をスライド連動させ、これによって滑りブロック５２を押し動かしスライドさせ、これによって圧縮バネ５０を圧縮し、感知スイッチ５１を接触し、感知スイッチ５１が下側モーター４０と通電できるように連結されることにより、下側モーター４０が作動し、これによって下モーター軸４２を回転連動させ、これによって旋転ブロック４８を回転連動させ、これによって滑りブロック５２を回転連動させ、これによって傘収納筒２３を回転連動させ、これによって傘収納チャンバ７５の中の水を振り出し、下モーター軸４２が回転するのと同時に大プーリー４１を回転連動させ、これによって下側ベルト３９によって小プーリー３７を回転連動させ、これによってファン４３を回転連動させ、これによって傘収納筒２３の中の傘を乾かし、下側モーター４０が止まった時、左側電磁石６９が通電されなくなり、復帰バネ６８が弾性作用により右側電磁石６７を押し動かしスライドさせ、伝動板６６をスライド連動させ、これによって左押板６５をスライド連動させ、これによってスライドスリーブ７０を押し動かし、上噛合歯車７２と下噛合歯車５４とを噛合させ、上側モーター１０を始動し、ネジロッド軸５５を回転連動させ、これによってネジ山ブロック５７をスライド連動させ、これによってスリーブ５８を左位置制限ブロック５６と当接させ、これによって固定連結ロッド６０を押し動かしスライドさせ、これによってスライドロッド２２と傘収納筒２３とを離れさせた後、スライドロッド２２が限界位置にスライドした時、左側電磁石６９が通電され、右側電磁石６７がスライドし伝動板６６をスライド連動させ、これによって右押板６４が駆動されて上歯車６３を押し動かしスライドさせ、これによって上歯車６３と下歯車６１とが噛合し、この時上側モーター１０を始動し、これによって上モーター軸６２を回転連動させ、これによって上歯車６３を回転連動させ、これによって下歯車６１を回転連動させ、これによって固定連結ロッド６０を回転連動させ、これによってスライドロッド２２を回転連動させ、これによって旋転盤２５を回りチャンバ１９の中に百八十度回転連動させた時、第一電磁石３４が通電され、これによって第二電磁石２７がスライドし、これによって筒蓋２６が回転し開くことができ、これによって傘を取り出すことができる。 
【００２８】
本発明の有益効果は：本発明は傘収納筒に収納された傘についた水の重量を検知し、水が一定の重量に達した時、自動的に乾燥装置を始動し、傘を乾かすことができ、また、伝動装置により、傘収納筒を百八十度に回転させ、傘の上下両端とも乾かすことができ、乾燥効果を向上させた。 
【００２９】
以上の方式により、本分野の技術者は本発明の範囲内に作動モードによって各種な変形をさせることができる。